(57)【要約】  【課題】血液の濾過によるブラジキニン上昇性の低いフィルター基材を有する血液処理フィルターの提供。  【解決手段】アニオン性電荷を有する不織布の表面に、カチオン性電荷を有するカチオン化物質が保持されたカチオン化不織布からなるフィルター基材を有する血液処理フィルターであって、該フィルター基材の表面に、アニオン性電荷を有する色素を吸着させて測定した反射吸光度から求められる相対反射吸光度が０．０５〜０．５５である血液処理フィルター。【選択図】なし【特許請求の範囲】
【請求項１】
アニオン性電荷を有する不織布の表面に、カチオン性電荷を有するカチオン化物質が保持されたカチオン化不織布からなるフィルター基材を有する血液処理フィルターであって、
該フィルター基材の表面に、アニオン性電荷を有する色素を吸着させて測定した反射吸光度から求められる相対反射吸光度が０．０５〜０．５５である血液処理フィルター。
【請求項２】
前記フィルター基材は、ゼータ電位が６〜３０ｍＶである請求項１に記載の血液処理フィルター。
【請求項３】
白血球捕捉フィルターまたは凝集塊捕捉フィルターである請求項１または２に記載の血液処理フィルター。
【請求項４】
アニオン性電荷を有する不織布の表面に、カチオン性電荷を有するカチオン化物質が保持されたカチオン化不織布からなるフィルター基材のカチオン化度を、
該フィルター基材の表面にアニオン性電荷を有する色素を吸着させて反射吸光度を測定することで相対反射吸光度を求めて定量するカチオン化度測定方法。
【発明の詳細な説明】
【技術分野】
【０００１】
本発明は、血液処理フィルターに関する。
【背景技術】
【０００２】
近年、臨床輸血の場においては、必要な成分のみを分離した血液等や、さらに不必要な成分を除去した血液等が用いられている。例えば、頭痛、吐き気、悪寒、非溶血性発熱反応等の副作用を防止するために白血球を除去した血液等が挙げられる。
【０００３】
このような、必要な成分の分離や、不必要な成分の除去には、ポリエステル製不織布やコットン綿等からなるフィルターを有する血液処理フィルターが用いられる場合が多い。
【０００４】
しかし、上記の不必要な成分等を血液処理フィルターを用いて濾過し、除去したにも関わらず、処理後の血液等の使用により、上記のような副作用が発生する場合がある。
【０００５】
例えば、表面にアニオン性電荷を持つ材料からなるフィルターを有する血液処理フィルターを用いて濾過すると、濾過後の血液中のブラジキニンが上昇する場合がある。このブラジキニンは強い血圧降下作用を持つ物質であるので、上昇することは好ましくない。
【０００６】
ブラジキニンが上昇するのは、アニオン性電荷を持つ材料と血液とが接触すると、血液凝固第XII因子の活性化が起こり、活性化血液凝固第XII因子によってプレカリクレインからカリクレインが生成され、さらにカリクレインによって高分子量キニノーゲンが限定分解されてブラジキニンが生成されるためである。
【０００７】
このような血液等の濾過時にブラジキニンの上昇を起こさない濾過材を提供することを目的に、例えば、特許文献１には、平均孔径が１〜１００μｍ、全細孔容積が０．４〜０．９５ｍｌ／ｍｌ、細孔直径が１〜１００μｍの孔が全細孔容積の７５％以上を占める高分子からなる多孔性の血液濾過材であって、表面に陰性荷電を有し、且つ三ヨウ化物錯イオンおよび／または陽性荷電を有する色素を用いる表面陰性荷電測定方法によって特定される総荷電量が−３０μｅｑ／ｇ以上、−０．０１μｅｑ／ｇ以下である血液濾過材に関して記載されている。そして、この総電荷量がこのような範囲であれば、ブラジキニン上昇性の低い血液濾過材料であると記載されている。
尚、ここでいう総電荷量とは、陽性荷電量をプラス（＋）、陰性荷電量をマイナス（−）で表わした時の両荷電が相殺された後の荷電量、即ち、陽性荷電量から陰性荷電量を差し引いた荷電量である。
【特許文献１】特許第３１７６７５２号公報
【発明の開示】
【発明が解決しようとする課題】
【０００８】
しかし、本発明者の研究により、特許文献１に記載されているような表面陰性荷電測定方法では、アニオン性電荷量を正確に把握することができない場合があることがわかった。
【０００９】
したがって、本発明の課題は、血液の濾過によるブラジキニン産生能の低いフィルター基材を有する血液処理フィルターを提供することにある。
【００１０】
尚、本発明において「血液」とは、血漿、白血球、赤血球、および血小板からなる群から選択される少なくとも１種を含む血液成分もしくは全血を意味する。
【課題を解決するための手段】
【００１１】
本発明者は、ブラジキニン産生能は、陽性荷電量（カチオン性電荷量）に相関することを見出した。
【００１２】
さらに、総荷電量ではなく、アニオン性電荷の存在下であったとしても、カチオン性電荷量のみを測定する方法を見出し、この方法により測定される表面のカチオン性電荷量が特定範囲であるフィルター基材を有する血液処理フィルターが、上記の課題を解決することを見出した。
【００１３】
即ち、本発明は、下記（１）〜（４）である。
【００１４】
（１）アニオン性電荷を有する不織布の表面に、カチオン性電荷を有するカチオン化物質が保持されたカチオン化不織布からなるフィルター基材を有する血液処理フィルターであって、該フィルター基材の表面に、アニオン性電荷を有する色素を吸着させて測定した反射吸光度から求められる相対反射吸光度が０．０５〜０．５５である血液処理フィルター。
【００１５】
（２）前記フィルター基材は、ゼータ電位が６〜３０ｍＶである上記（１）に記載の血液処理フィルター。
【００１６】
（３）白血球捕捉フィルターまたは凝集塊捕捉フィルターである上記（１）または（２）に記載の血液処理フィルター。
【００１７】
（４）アニオン性電荷を有する不織布の表面に、カチオン性電荷を有するカチオン化物質が保持されたカチオン化不織布からなるフィルター基材のカチオン化度を、該フィルター基材の表面にアニオン性電荷を有する色素を吸着させて反射吸光度を測定することで相対反射吸光度を求めて定量するカチオン化度測定方法。
【発明の効果】
【００１８】
本発明の血液処理フィルターは、血液の濾過によるブラジキニン産生能が低いので、その処理後の血液を利用した患者に悪影響を及ぼすことがない。
【００１９】
また、本発明のカチオン化度測定方法は、本発明の血液処理フィルターが有するフィルター基材の表面のカチオン化度を、反射吸光度という簡易な方法で定量できるという効果を奏する。ここで、カチオン化度とは、本発明のフィルター基材の表面のカチオン電荷の存在量を表しており、本発明では、このカチオン化度を相対反射吸光度として定量的に把握することができる。
【発明を実施するための最良の形態】
【００２０】
本発明は、アニオン性電荷を有する不織布の表面に、カチオン性電荷を有するカチオン化物質が保持されたカチオン化不織布からなるフィルター基材を有する血液処理フィルターであって、該フィルター基材の表面に、アニオン性電荷を有する色素を吸着させて測定した反射吸光度から求められる相対反射吸光度が０．０５〜０．５５である血液処理フィルターである。
このような血液処理フィルターを、以下では「本発明の血液処理フィルター」ともいう。
また、この「アニオン性電荷を有する不織布」を、以下では「アニオン性不織布」ともいう。
【００２１】
アニオン性不織布は、アニオン性電荷を有する不織布であれば、その平均繊維径、目付け量、材質（材料）等、特に限定されない。
【００２２】
ここでアニオン性電荷とは、カルボキシル基、リン酸基、亜リン酸基、スルホン酸基、硫酸エステル基、亜硫酸基、次亜硫酸基、スルフィド基、フェノール基、ヒドロキシル基など中性のｐＨで陰性を示す酸性官能基をいう。この酸性官能基は例示であり、これに限定されるものではない。
【００２３】
このアニオン性電荷には、アニオン性不織布の材料自身が本来持つ陰性官能基、アニオン性不織布の材料の製造過程で、例えば熱、酸化物や酸、アルカリ溶液などの薬品、放射線などによって加水分解で生じたものを含む。
【００２４】
アニオン性不織布の平均繊維径、目付け量は特に限定されず、用途に応じて選択すればよい。
【００２５】
例えば、本発明の血液処理フィルターを白血球捕捉フィルターとして用いる場合であれば、アニオン性不織布の平均繊維径は１〜２０μｍ、好ましくは２〜１５μｍ、さらに好ましくは３〜１０μｍである。
また、目付け量は２０〜１００ｇ／ｍ２、好ましくは４０〜８０ｇ／ｍ２、さらに好ましくは４５〜７５ｇ／ｍ２である。
【００２６】
また、例えば、本発明の血液処理フィルターを凝集塊捕捉フィルターとして用いる場合であれば、アニオン性不織布の平均繊維径は５〜３０μｍ、好ましくは８〜２０μｍ、さらに好ましくは１０〜１５μｍである。
また、目付け量は３０〜１２０ｇ／ｍ２、好ましくは５０〜１００ｇ／ｍ２、さらに好ましくは６０〜８０ｇ／ｍ２である。
【００２７】
尚、凝集塊捕捉フィルターは、単独で用いることもできるが、白血球捕捉フィルターのプレフィルターとしても用いることができるものである。
【００２８】
アニオン性不織布を製造するために用いられる材料は、それを用いて製造したアニオン性不織布の表面に前記アニオン性電荷を生じる材料であればよい。
このような材料としては、ポリエチレンテレフタレート、ポリブチレンテレフタレートおよびポリオキシエチレンテレフタレート等のポリエステル、ポリアクリロニトリルなどが挙げられる。
【００２９】
これらの中で、特にポリエチレンテレフタレート、ポリブチレンテレフタレートなどのポリエステル系合成高分子材料が好ましい。また、不織布への成形性や、得られる不織布の繊維径、繊維によって形成される細孔状態等が制御し易く、白血球等の除去対象物質に合わせた最適な血液処理フィルターの製造が可能で好ましい。さらに、このポリエステル系合成高分子材料は、血液の濡れ性の点でも好ましい。
【００３０】
アニオン性不織布は、上記のような材料を用いて、次に示すような方法により製造することができる。
【００３１】
まず、例えば、スパンボンド法、メルトブロー法、遠心力法、フラッシュ紡糸法、高電圧乾式紡糸法、フィルム法、エアレイ法、カード法、ガーネット機法等の従来法を適用して、不織布を製造する。
【００３２】
また、例えば、溶融紡糸した繊維を、接着剤法、熱融着法（サーマルボンド法）、超音波接着法、ニードルパンチ法、スパンレース法（水流絡合法）、ステッチボンド法等により結合する従来法により製造することもできる。
【００３３】
次に本発明で用いるカチオン性電荷を有するカチオン化物質について説明する。
このカチオン化物質は、塩基性含窒素官能基を有する化合物であり、第１級アミノ基、第２級アミノ基、第３級アミノ基または第４級アンモニウム塩を有する塩基性含窒素化合物、もしくはピリジル基、イミダゾイル基等の含窒素芳香環基を有する塩基性含窒素化合物である。
【００３４】
主鎖または側鎖に４級窒素原子を有する塩基性含窒素化合物の例としては、下記式（１）で表される４級アンモニウムイオンをエステル基とした（メタ）アクリル酸系重合体のアルキルスルホナート（アルキルスルホン酸イオン）を対イオンとした化合物であってもよい。
【００３５】
【化１】
2006280483.tif 000002
式中、Ｒ1 は炭素数１〜４のアルキル基を表し、Ｒ2 およびＲ7は互いに独立してメチル基または水素原子を表し、Ｒ3 は炭素数１〜４のアルキレン基を表し、Ｒ4 〜Ｒ6は互いに独立して炭素数１〜４のアルキル基または水素原子を表し、ｎおよびｍは整数（ｎ＞ｍ）を表し、好ましくはｎおよびｍは合計で２０〜４０００である。
【００３６】
ここでカチオン化物質は、特に限定されないが、好ましくは前述の一般式（１）で表される４級アンモニウムイオンをエステル基とした（メタ）アクリル酸系重合体のアルキルスルホナート（アルキルスルホン酸イオン）を対イオンとしたカチオン性化合物である。
例えば、（メタ）アクリル酸−（メタ）アクリロイルオキシエチルジエチルメチルアンモニウムメチルサルフェイトの共重合体、（メタ）アクリル酸−（メタ）アクリロイルオキシプロピルジエチルメチルアンモニウムメチルサルフェイトの共重合体等が挙げられる。
一般式（１）で表される化合物は、分子量が数千から数十万程度であればよく、好ましくは２，０００〜５００，０００である。分子量が上記の範囲であれば、アニオン性不織布をカチオン化物質を含む溶液に浸漬する際の作業性が良好であり、かつアニオン性不織布から容易に脱離しない。
【００３７】
このようなカチオン化物質を、前記アニオン性不織布の表面に保持させる方法は、カチオン化物質をアニオン性不織布の表面に均一に保持させることができれば特に限定されない。
好ましい方法では、コーティング、ディッピング、スプレーあるいはスピンコートにより、アニオン性不織布の表面を、カチオン化物質を溶解させたコート液で被覆した後、６０〜１００℃で加熱乾燥することで、アニオン性不織布の表面にカチオン化物質を保持させる。
【００３８】
尚、アニオン性不織布の表面にカチオン化物質を保持させる方法は、ポリアクリル酸を主成分とした化合物の４級アミンエステル体を白血球除去フィルター基材表面に塗布し、加熱乾燥させ、アルキルスルホン酸ナトリウム溶液で処理したのでも良い。
【００３９】
尚、加熱乾燥後にアニオン性不織布を水洗し、溶出物の洗い出しを行えばさらに好ましい。
【００４０】
このような方法により、前記アニオン性不織布の表面に、前記カチオン化物質を備えるカチオン化不織布を得ることができる。
【００４１】
そして、本発明の血液処理フィルターが有するフィルター基材は、このようなカチオン化不織布からなる。
このカチオン化不織布から、このフィルター基材を得る方法は特に限定されず、従来法を適用することができる。例えば、前記カチオン化不織布にプレス圧縮や熱収縮を施し、その用途に応じて、後述するような総肉厚となるように積層し、使用時の最適な大きさ（例えば、使用するハウジングにセットするために適した大きさ）に打ち抜くという方法を挙げることができる。
【００４２】
また、前記フィルター基材は、ゼータ電位が６〜３０ｍＶであるのが好ましい。理由は、ゼータ電位がこの範囲であれば、ブラジキニンの産生能を抑制することができるからである。
【００４３】
本発明におけるゼータ電位は、流動電位法に基づくものである。具体的には、流動電位測定装置（円筒形状のテフロンセル：直径１３ｍｍ、長さ５ｍｍ）を用いて、圧力範囲０〜５０ＫＰａ、流動液として０．００１ＭのＫＣｌ溶液（温度：２５℃）を用いて測定した値である。
【００４４】
前記フィルター基材の平均孔径、総肉厚は特に限定されず、用途に応じて選択すればよい。
【００４５】
例えば、本発明の血液処理フィルターを白血球捕捉フィルターとして用いる場合であれば、総肉厚は３〜９ｍｍ、好ましくは５〜７ｍｍである。
【００４６】
例えば、本発明の血液処理フィルターを凝集塊捕捉フィルターとして用いる場合であれば、総肉厚は０．３〜６ｍｍ、好ましくは０．６〜４．８ｍｍ、さらに好ましくは０．８〜３．６ｍｍである。
【００４７】
上述したように、本発明の血液処理フィルターは、白血球捕捉フィルターまたは凝集塊捕捉フィルターとして用いることができる。白血球捕捉フィルターには、血小板捕捉タイプと血小板通過タイプがあるが、本発明の血液処理フィルターは、血小板捕捉タイプの白血球捕捉フィルターとして好適に用いることができる。
【００４８】
本発明の血液処理フィルターは、前記フィルター基材の表面に、アニオン性電荷を有する色素を吸着させて測定した反射吸光度から求められる相対反射吸光度が０．０５〜０．５５である血液処理フィルターである。
【００４９】
以下では、この反射吸光度（以下、「本発明の反射吸光度」ともいう）の測定方法、および相対反射吸光度の求める方法について詳細に示す。
【００５０】
まず、同じアニオン性電荷をその表面に有し、平均繊維径、目付け量、材質（材料）等も同じであるアニオン性不織布を２つ用意する。
【００５１】
そして、一方のアニオン性不織布には、上記の方法でカチオン化物質を導入し、本発明で用いるカチオン化不織布とする。
また、他方のアニオン性不織布には、カチオン化物質を導入しない。
【００５２】
次に、この一方のアニオン性不織布（本発明で用いるカチオン化不織布）と、他方のアニオン性不織布とに同じ加工を施して、実質的に同じ平均孔径、総肉厚等であるフィルター基材を作製する。
【００５３】
ここで、一方のアニオン性不織布（本発明で用いるカチオン化不織布）から作製されたフィルター基材は、本発明で用いるフィルター基材である。
また、他方のアニオン性不織布から作製されたフィルター基材を、以下では、ベース用フィルター基材という。
【００５４】
このようなフィルター基材およびベース用フィルター基材を、直径２５ｍｍの円形に打ち抜いたものの各々を、本発明の反射吸光度の測定用試料とする。以下では、図１を用いて、本発明の反射吸光度の測定方法を説明するが、各々を、試料５Ａおよび試料５Ｂと記す。
【００５５】
本発明の反射吸光度の測定は、試料５Ａまたは試料５Ｂを、図１に示すような血液フィルター装置にセットして行う。図１は、血液フィルター装置の分解斜視図である。
【００５６】
血液フィルター装置１は、流入口３と流出口４とを有するハウジング２内からなる。
このハウジング２の有効径は２２ｍｍである。
【００５７】
まず、試料５Ａの反射吸光度を測定する方法を示す。
上記のようなハウジング２内に、図１に示すように試料５Ａを配置する。
そして、アニオン性電荷を有する色素を、試料５Ａに吸着させる。
具体的には、流入口３から、０．０１６ｍｇ／ｍｌのトリパンブルー水溶液を、１５ｍｌ／ｍｉｎで、１．５ｍｉｎ通液する。
【００５８】
そして直ぐに、同様に、流入口３から蒸留水を２５ｍｌ／ｍｉｎで２ｍｉｎ、合計で５０ｍｌ通液する。
【００５９】
そして、ハウジング２からアニオン性電荷を有する色素が吸着した試料５Ａを取り出し、乾燥器を用いて、７０℃、１時間乾燥する。
【００６０】
このような方法で得たアニオン性電荷を有する色素を吸着させた試料５Ａの反射吸光度を、次のような方法で測定する。
まず、吸光度計（商品名：二波長クロマトスキャナーＣＳ−９３０、株式会社島津製作所製）を用いて５９９ｎｍでの反射吸光度を測定する。
【００６１】
次に、上記に示した方法と同じ方法で、試料５Ｂの反射吸光度を測定する。
【００６２】
そして、試料５Ａの反射吸光度から、試料５Ｂの反射吸光度を差し引いて、相対反射吸光度を求める。この相対反射吸光度は、本発明においては「カチオン化度」ともいう。
【００６３】
本発明の血液処理フィルターは、このような方法で求められた相対反射吸光度（カチオン化度）が０．０５〜０．５５である。
このような範囲の相対反射吸光度を有する本発明の血液処理フィルターは、血液の濾過によるブラジキニン上昇性が低いので、その処理後の血液を利用した患者に悪影響を及ぼすことがない。
相対反射吸光度が０．５５を超えると、血液処理フィルターによって血液を濾過する際に血液成分の通過性が低下する。
【実施例】
【００６４】
以下に、本発明の血液処理フィルターに係る実施例を示す。尚、本発明はこの実施例に限定されるものではない。
【００６５】
（実施例１）
ここでは、平均繊維径が３μｍ、目付け量が４０ｇ／ｍ２であるポリエチレンテレフタレート製不織布を用いた。以下、これを不織布ａと記す。
【００６６】
この不織布ａの表面に、カチオン化物質であるポリアクリル酸−ポリ２−（アクリロイルオキシ）エチルジエチルメチルアンモニウムメチルスルファートを導入した。
具体的には、カチオン化物質を蒸留水に溶解し１０質量％水溶液とし、この水溶液の１０００ｍｌに３０ｇの不織布ａをステンレストレーで浸漬させた。浸漬時間は２分間とした。
【００６７】
そして、浸漬時間経過後、三角フラスコから取り出し、直ぐに蒸留水を用いたシャワー洗浄を行った。シャワー洗浄の流量は４Ｌ／ｍｉｎであり、シャワー洗浄時間は３時間とした。
【００６８】
さらに、洗浄時間経過後、乾燥器（品番：ＷＦＯ−１０００ＳＤ、ＥＹＥＬＡ社製）を用いて、７０℃、１時間の乾燥を行った。
【００６９】
このような方法で製造した、表面にカチオン化物質を備えたカチオン化不織布を、不織布ａ１と記す。
【００７０】
このような不織布ａ１のゼータ電位、相対反射吸光度、ブラジキニン産生量、白血球除去率、および血小板除去率を、後述する方法で測定した。結果を表１に示す。
【００７１】
（実施例２）
上記の実施例１で用いたカチオン化物質の水溶液濃度を、１質量％としたものを用い、その他の条件を全て同じにした試験を行った。測定項目も実施例１と同様である。結果を表１に示す。尚、この実施例２で各測定に供した不織布を不織布ａ２と記す。
【００７２】
（実施例３）
上記の実施例１で用いたカチオン化物質の水溶液濃度を、０．１質量％としたものを用い、その他の条件を全て同じにした試験を行った。測定項目も実施例１と同様である。結果を表１に示す。尚、この実施例３で各測定に供した不織布を不織布ａ３と記す。
【００７３】
（実施例４）
上記の実施例１で用いたカチオン化物質の水溶液濃度を、０．０１質量％としたものを用い、その他の条件を全て同じにした試験を行った。測定項目も実施例１と同様である。結果を表１に示す。尚、この実施例４で各測定に供した不織布を不織布ａ４と記す。
【００７４】
（比較例１）
上記の実施例１で用いたカチオン化物質の水溶液濃度を、０．００５質量％としたものを用い、その他の条件を全て同じにした試験を行った。測定項目も実施例１と同様である。結果を表１に示す。尚、この比較例１で各測定に供した不織布を不織布ａ５と記す。
【００７５】
（実施例５）
上記の実施例１で用いた不織布ａの代わりに、平均繊維径が１１μｍ、目付け量が５０ｇ／ｍ２であるポリエチレンテレフタレート製不織布を用いた。以下、これを不織布ｂと記す。
そして、実施例１と同じ方法で製造した、表面にカチオン化物質を備えたカチオン化不織布を、不織布ｂ１と記す。
【００７６】
このような不織布ｂ１のゼータ電位、相対反射吸光度、ブラジキニン産生量、および凝集塊除去率を、後述する方法で測定した。結果を表２に示す。
【００７７】
（実施例６）
上記の実施例５で用いたカチオン化物質の水溶液濃度を、０．１質量％としたものを用い、その他の条件を全て同じにした試験を行った。測定項目も実施例５と同様である。結果を表２に示す。尚、この実施例６で各測定に供した不織布を不織布ｂ２と記す。
【００７８】
（実施例７）
上記の実施例５で用いたカチオン化物質の水溶液濃度を、０．０１質量％としたものを用い、その他の条件を全て同じにした試験を行った。測定項目も実施例５と同様である。結果を表２に示す。尚、この実施例７で各測定に供した不織布を不織布ｂ３と記す。
【００７９】
（比較例２）
上記の実施例５で用いたカチオン化物質の水溶液濃度を、０．００５質量％としたものを用い、その他の条件を全て同じにした試験を行った。測定項目も実施例５と同様である。結果を表２に示す。尚、この比較例２で各測定に供した不織布を不織布ｂ４と記す。
【００８０】
＜ゼータ電位の測定＞
上記の不織布ａ１〜ａ５、および不織布ｂ１〜ｂ４の各々を、直径１３ｍｍの円形に打ち抜いたものを試料とし、流動電位測定装置（ＺＰ−２０Ｈ型、株式会社島津製作所製）を用いてゼータ電位を測定した。ここで、流動液は上述したものと同じ０．００１ＭのＫＣｌ溶液を用いた。
【００８１】
＜反射吸光度測定＞
上述した本発明の反射吸光度の測定方法により反射吸光度を測定し、相対反射吸光度を求めた。
【００８２】
＜ブラジキニン産生量＞
上記の不織布ａ１〜ａ５、および不織布ｂ１〜ｂ４の１ｇを、ポリプロピレン製試験管中において６ｍｌの濃厚赤血球（ＣＲＣ−ＭＡＰ）に浸漬させた。この濃厚赤血球は採血、調整後４日間、４℃で保存したものである。そして２５℃、５分間インキュベートした後、直ちにポリプロピレン製試験管中から５ｍｌの濃厚赤血球をブラジキニンサンプル用インヒビターカクテル（ＳＲＬ社製）に採取した。そして４℃、４．５４×１０３Ｇ、６分の条件で遠心分離した後、ＲＩＡ法で、ブラジキニンの測定を行った。
【００８３】
＜白血球除去率、血小板除去率＞
上記の不織布ａ１〜ａ５の各々を、直径３０ｍｍの円形に３０枚打ち抜き、この３０枚を各々のサンプルごとに積層したもの（総厚３．０ｍｍ）を、図１に示したものと同形のハウジングに各々セットした。
【００８４】
ここで用いたハウジングは図１と同じ形状であり、その血液処理フィルター装着部は円筒形である。断面は直径３０ｍｍの円形である。
【００８５】
このようにして得た血液処理フィルター装置を用いて、落差４０ｃｍ（上流側２０ｃｍ、下流側２０ｃｍ）の条件で保存日数が４日の濃厚赤血球（ＣＲＣ−ＭＡＰ）を６０ｍｌ濾過した。
【００８６】
濾過前後の血液の質量は、電子天秤を用いて測定した。また、濾過前後の血小板濃度、および濾過前の白血球濃度を多項目自動血球分析装置（ＳＹＳＭＥＸ  ＸＥ−２１００、シスメックス社製）を用いて測定した。そして、濾過後の白血球濃度については、ナジェット（Ｎａｇｅｏｔｔｅ）法を用いて測定した。さらに、以下の式を用いて白血球および血小板除去率を求めた。
【００８７】
白血球除去率（％）＝（１−（濾過後白血球濃度×濾過後血液量）／（濾過前白血球濃度×濾過前血液量））×１００
【００８８】
血小板除去率（％）＝（１−（濾過後血小板濃度×濾過後血液量）／（濾過前血小板濃度×濾過前血液量））×１００
【００８９】
＜凝集塊除去率＞
上記の不織布ｂ１〜ｂ４の各々を、直径３０ｍｍの円形に１０枚打ち抜き、この１０枚を各々のサンプルごとに積層したもの（総厚３．０ｍｍ）を、図１に示したものと同形のハウジングに各々セットした。
【００９０】
ここで用いたハウジングは図１と同じ形状であり、その血液処理フィルター装着部は円筒形である。断面は直径３０ｍｍの円形である。
【００９１】
このようにして得た血液処理フィルター装置を用いて、落差４０ｃｍ（上流側２０ｃｍ、下流側２０ｃｍ）の条件で保存日数が２１日の濃厚赤血球（ＣＲＣ−ＭＡＰ）を６０ｍｌ濾過した。
【００９２】
そして、濾過前後の血液の質量を、電子天秤を用いて測定した。また、濾過前後の１５〜４５μｍの凝集塊数を、コールターカウンターＺ２（ベックマンコールター社製）を用いて測定した。そして、以下の式を用いて凝集塊除去率を求めた。
【００９３】
凝集塊除去率（％）＝（１−（濾過後凝集塊濃度×濾過後血液量）／（濾過前凝集塊濃度×濾過前血液量））×１００
【００９４】
【表１】
2006280483.tif 000003
【００９５】
【表２】
2006280483.tif 000004
【００９６】
表１、表２から、本発明で用いるカチオン化不織布または本発明で用いるフィルター基材には、ブラジキニンの上昇がほとんど認められず、また、血液処理フィルターとして用いた場合の性能も備えていることが確認できた。
【図面の簡単な説明】
【００９７】
【図１】図１は、本発明の反射吸光度の測定方法に用いる血液フィルター装置の斜視断面図である。
【符号の説明】
【００９８】
１    血液フィルター装置
２    ハウジング
３    流入口
４    流出口
５Ａ、５Ｂ    測定用試料
【図１】
2006280483.tif 000005